(57)【要約】【課題】風誘導部材を、開口部の左方から外壁に沿って流れてくる風及び開口部の右方から外壁に沿って流れてくる風の両方を開口部に導くことが可能な状態に設定可能な風取込装置を提供する。【解決手段】建物８０の壁を貫通して建物の室内８３と室外８４とを連通させる開口部８５の左右の開口縁部８６Ａ；８６Ｂより室外に突出するように設けられた左右一対の遮風板２１Ａ；２１Ｂと、遮風板を貫通するように設けられて風を通過させる通風孔２２Ａ；２２Ｂと、通風孔を開閉可能でかつ通風孔を通過する風を開口部８５側に誘導する風誘導部材２３Ａ；２３Ｂと、を備えた。【選択図】図１
2015145604.tif 000002
【特許請求の範囲】
【請求項１】
建物の壁を貫通して建物の室内と室外とを連通させる開口部の左右の開口縁部より室外に突出するように設けられた左右一対の遮風板と、
遮風板を貫通するように設けられて風を通過させる通風孔と、
通風孔を開閉可能でかつ通風孔を通過する風を開口部側に誘導する風誘導部材と、
を備えたことを特徴とする風取込装置。
【請求項２】
建物の壁を貫通して建物の室内と室外とを連通させる開口部の上下の開口縁部より室外に突出するように設けられた上下一対の遮風板と、
遮風板を貫通するように設けられて風を通過させる通風孔と、
通風孔を開閉可能でかつ通風孔を通過する風を開口部側に誘導する風誘導部材と、
を備えたことを特徴とする風取込装置。
【発明の詳細な説明】
【技術分野】
【０００１】
本発明は、建物の外壁に沿って流れる風を室内に取り込めるようにした風取込装置に関する。
【背景技術】
【０００２】
室内と室外とを連通させる窓等の開口部に建物の外壁に沿って流れる風を開口部に導くための風誘導部材（導風板）を備え、建物の外壁に沿って流れる風が風誘導部材に衝突した後に開口部を通過して室内に取り込まれるように構成された風取込装置が知られている（特許文献１等参照）。
【先行技術文献】
【特許文献】
【０００３】
【特許文献１】特開２０００−１６０９５７号公報
【発明の概要】
【発明が解決しようとする課題】
【０００４】
しかしながら、特許文献１の図１；図２；図７；図８に開示された構成では、例えば、風が開口部の右方から外壁に沿って流れていた状態から風が開口部の左方から外壁に沿って流れる状態に変化した場合、即ち、風向きが変わった場合、風向きに合わせて風誘導部材（導風板）の状態をいちいち変更しなくてはならない。
また、特許文献１の図１；図２；図７；図８に開示された従来の風取込装置によれば、風誘導部材が開口部の左方から外壁に沿って流れてくる風を開口部に導くように設定されるか、又は、風誘導部材が開口部の右方から外壁に沿って流れてくる風を開口部に導くように設定されるかであり、風誘導部材を、開口部の左方から外壁に沿って流れてくる風及び開口部の右方から外壁に沿って流れてくる風の両方を開口部に導くことが可能な状態に設定することができない。
また、特許文献１の図４；図５に開示された構成では、例えば、風の強さや風向き状態によっては、風誘導部材が開口部と対向する位置に留まってしまう可能性があり、この場合、開口部の右方から外壁に沿って流れる風や開口部の左方から外壁に沿って流れる風が開口部の前を通り過ぎてしまって、外壁に沿って流れる風が室内に取り込まれない可能性がある。
つまり、特許文献１の構成では、風誘導部材が、開口部の左方から外壁に沿って流れてくる風を開口部に導くことが可能な状態に設定されるとともに開口部の右方から外壁に沿って流れてくる風を開口部に導くことが可能な状態に設定される構成ではなく、また、外壁に沿って流れる風を室内に取り込めない可能性もある。
本発明は、開口部の左方から外壁に沿って流れてくる風、又は、開口部の右方から外壁に沿って流れてくる風、又は、開口部の上方から外壁に沿って流れてくる風、又は、開口部の下方から外壁に沿って流れてくる風を、確実に、室内に取り込めるとともに、風誘導部材を、開口部の左方から外壁に沿って流れてくる風及び開口部の右方から外壁に沿って流れてくる風の両方を開口部に導くことが可能な状態、又は、風誘導部材を、開口部の上方から外壁に沿って流れてくる風及び開口部の下方から外壁に沿って流れてくる風の両方を開口部に導くことが可能な状態に設定することができて、当該状態で外壁に沿って流れる風を複数方向から室内に取り込めるようにした風取込装置を提供する。
【課題を解決するための手段】
【０００５】
本発明に係る風取込装置は、建物の壁を貫通して建物の室内と室外とを連通させる開口部の左右の開口縁部より室外に突出するように設けられた左右一対の遮風板と、遮風板を貫通するように設けられて風を通過させる通風孔と、通風孔を開閉可能でかつ通風孔を通過する風を開口部側に誘導する風誘導部材と、を備えた。
また、建物の壁を貫通して建物の室内と室外とを連通させる開口部の上下の開口縁部より室外に突出するように設けられた上下一対の遮風板と、遮風板を貫通するように設けられて風を通過させる通風孔と、通風孔を開閉可能でかつ通風孔を通過する風を開口部側に誘導する風誘導部材と、を備えた。
【発明の効果】
【０００６】
本発明に係る開閉装置によれば、開口部の左右の開口縁部より室外に突出するように設けられた左右一対の風遮蔽板にそれぞれ通風孔と風誘導部材とを備えた構成とすれば、風誘導部材を、開口部の左方から外壁に沿って流れてくる風及び開口部の右方から外壁に沿って流れてくる風の両方を開口部に導くことが可能な状態に設定することができるので、当該状態で外壁に沿って流れる風を左右方向から室内に取り込めるようになる。
また、開口部の上下の開口縁部より室外に突出するように設けられた上下一対の風遮蔽板にそれぞれ通風孔と風誘導部材とを備えた構成とすれば、風誘導部材を、開口部の上方から外壁に沿って流れてくる風及び開口部の下方から外壁に沿って流れてくる風の両方を開口部に導くことが可能な状態に設定することができるので、当該状態で外壁に沿って流れる風を上下方向から室内に取り込めるようになる。
【図面の簡単な説明】
【０００７】
【図１】風取込装置を示す斜視図（実施形態１）。
【図２】風取込装置を示す断面図（実施形態１）。
【図３】３バーヒンジを用いた例を示す斜視図（実施形態２）
【図４】伸縮可能な風誘導部材を用いた例を示す斜視図（実施形態３）。
【図５】風取込機能付シャッター装置を示す斜視図（実施形態４）。
【図６】風取込機能付シャッター装置を示す断面図（実施形態４）。
【図７】風取込機能付シャッター装置を示す斜視図（実施形態５）。
【図８】風取込機能付シャッター装置を示す断面図（実施形態５）。
【図９】折畳み可能な遮風板を用いた例を示す図であり、（ａ）は風取込装置が風取込可能状態に設定された場合を示す正面図、（ｂ）は風取込装置が風取込不能状態に設定された場合を示す正面図、（ｃ）は折畳み可能な遮風板の伸長状態を示す斜視図（実施形態６）。
【図１０】伸縮可能な遮風板を用いた例を示す図であり、（ａ）は風取込装置が風取込可能状態に設定された場合を示す正面図、（ｂ）は風取込装置が風取込不能状態に設定された場合を示す正面図、（ｃ）は伸縮可能な遮風板の伸長状態を示す斜視図（実施形態７）。
【発明を実施するための形態】
【０００８】
実施形態１
図１；２に示すように、風取込装置１は、建物８０の外壁８１及び内壁８２を貫通して建物８０の室内８３と室外８４とを連通させる開口部８５の左右の開口縁部８６Ａ；８６Ｂより室外８４に突出するように設けられ、外壁８１に沿って左方又は右方から吹く風を開口部８５に導いて室内８３に取り込む装置である。
【０００９】
風取込装置１は、左右一対の左側風取込装置２Ａと右側風取込装置２Ｂとを備える。
左側風取込装置２Ａは、開口部８５の左の開口縁部８６Ａより室外８４に突出するように設けられた左側遮風板２１Ａと、左側遮風板２１Ａを貫通するように設けられて風を通過させる左側通風孔２２Ａと、左側通風孔２２Ａを開閉可能でかつ左側通風孔２２Ａを通過する風を開口部８５に誘導する左側風誘導部材２３Ａとを備えた構成である。
右側風取込装置２Ｂは、開口部８５の右の開口縁部８６Ｂより室外８４に突出するように設けられた右側遮風板２１Ｂと、右側遮風板２１Ｂを貫通するように設けられて風を通過させる右側通風孔２２Ｂと、右側通風孔２２Ｂを開閉可能でかつ右側通風孔２２Ｂを通過する風を開口部８５に誘導する右側風誘導部材２３Ｂとを備えた構成である。
【００１０】
開口部８５は、例えば、サッシ枠等の窓枠８７で囲まれた窓を形成する開口部である。窓枠８７が建物８０の壁下地に形成された窓枠固定下地８８に固定され、そして、壁下地の室外８４側に形成された外壁下地面に外壁８１が形成され、壁下地の室内８３側に形成された内壁下地面に内壁８２が形成されることによって、窓枠８７の室外８４側の外周縁を囲むように外壁８１が設けられ、窓枠８７の室内８３側の外周縁を囲むように内壁８２が設けられる。窓枠８７で囲まれた窓である開口部８５には、当該開口部８５を開閉可能な開閉体としての戸９０が設けられる。当該戸９０は、例えば、引き違い戸（図１参照）、上げ下げ戸、ルーバー戸等である。
【００１１】
左側遮風板２１Ａは、例えば、互いに対向する板面が長方形に形成された長方形板の板面を貫通させて形成された左側通風孔２２Ａを囲む枠体に形成され、当該枠体の長辺２１ａが窓枠８７の左縦枠８７Ａに沿って上下方向に延長するとともに枠体の板面２１ｂが外壁面８１と直交するように、枠体の一方の長辺部が、開口部８５の左の開口縁部８６Ａとしての、例えば、窓枠８７の左縦枠８７Ａ、又は、左縦枠８７Ａ近傍の窓枠固定下地８８等に取付けられる。
右側遮風板２１Ｂは、例えば、互いに対向する板面が長方形に形成された長方形板の板面を貫通させて形成された右側通風孔２２Ｂを囲む枠体に形成され、当該枠体の長辺２１ａが窓枠８７の右縦枠８７Ｂに沿って上下方向に延長するとともに枠体の板面２１ｂが外壁面８１と直交するように、枠体の一方の長辺部が、開口部８５の右の開口縁部８６Ｂとしての、例えば、窓枠８７の右縦枠８７Ｂ、又は、右縦枠８７Ｂ近傍の窓枠固定下地８８等に取付けられる。
【００１２】
左側通風孔２２Ａは、左側遮風板２１Ａを形成する枠体で囲まれた１つ又は複数の開口により構成される。例えば、左側遮風板２１Ａを形成する枠体の外形である長方形と相似な１つの長方形の貫通孔（図１参照）、又は、左側遮風板２１Ａを形成する枠体の内側に上下方向に複数並ぶように形成された複数の貫通孔、又は、左側遮風板２１Ａを形成する枠体の内側に前後方向に複数並ぶように形成された複数の貫通孔により構成される。
右側通風孔２２Ｂは、右側遮風板２１Ｂを形成する枠体で囲まれた１つ又は複数の開口により構成される。例えば、右側遮風板２１Ｂを形成する枠体の外形である長方形と相似な１つの長方形の貫通孔（図１参照）、又は、右側遮風板２１Ｂを形成する枠体の内側に上下方向に複数並ぶように形成された複数の貫通孔、又は、右側遮風板２１Ｂを形成する枠体の内側に前後方向に複数並ぶように形成された複数の貫通孔により構成される。
左側遮風板２１Ａは、左側通風孔２２Ａが形成されるとともに左側風誘導部材２３Ａを回転可能に支持する支持体として機能する。
右側遮風板２１Ｂは、右側通風孔２２Ｂが形成されるとともに右側風誘導部材２３Ｂを回転可能に支持する支持体として機能する。
尚、上述した前後方向とは、外壁面８１と直交する方向であり、前方向とは室内８３から室外８４に向けて進行する方向、後方向とは室外８４から室内８３に向けて進行する方向をいう。
【００１３】
左側風誘導部材２３Ａは、左側通風孔２２Ａを塞ぐことが可能な大きさに形成され、ヒンジ２４Ａにより左側通風孔２２Ａを開閉させるように可動可能に設けられた可動板により構成される。
右側風誘導部材２３Ｂは、右側通風孔２２Ｂを塞ぐことが可能な大きさに形成され、ヒンジ２４Ｂにより右側通風孔２２Ｂを開閉させるように可動可能に設けられた可動板により構成される。
【００１４】
ヒンジ２４Ａは、例えば、左側通風孔２２Ａを囲む枠体における外壁８１から遠い位置にある左側通風孔２２Ａの上下方向に延長する開口縁に沿った左側風誘導部材２３Ａの辺縁を回転中心として当該左側風誘導部材２３Ａを回転させるヒンジにより構成される。
ヒンジ２４Ｂは、例えば、右側通風孔２２Ｂを囲む枠体における外壁８１から遠い位置にある右側通風孔２２Ｂの上下方向に延長する開口縁に沿った右側風誘導部材２３Ｂの辺縁を回転中心として当該右側風誘導部材２３Ｂを回転させるヒンジにより構成される。
【００１５】
尚、上述した説明から明らかなように、左側遮風板２１Ａ及び右側遮風板２１Ｂ、左側通風孔２２Ａ及び右側通風孔２２Ｂ、左側風誘導部材２３Ａ及び右側風誘導部材２３Ｂは、左右の違い以外は構成が同じであるので、以下、本発明の説明において、必要に応じて、単に、「遮風板」、「通風孔」、「風誘導部材」と言う。
【００１６】
実施形態１による風取込装置１によれば、図２に示すように、左側風誘導部材２３Ａ及び右側風誘導部材２３Ｂの外壁８１に近い側の辺部２３ｔを開口部８５の中心８５ａに近づくように移動させることによって、外壁８１に沿って流れる風が左側通風孔２２Ａあるいは右側通風孔２２Ｂを通過した後、左側風誘導部材２３Ａあるいは右側風誘導部材２３Ｂの板面（外面）に沿って開口部８５側に導かれ、開口部８５を経由して室内８３に取り込まれる。
即ち、図２の矢印Ｆ１に示すように、外壁８１に沿って開口部８５の左側から右側に向かって流れる風が、左側通風孔２２Ａを通過した後、左側風誘導部材２３Ａの板面に沿って開口部８５側に導かれ、開口部８５を経由して室内８４に取り込まれるとともに、図の矢印Ｆ２に示すように、外壁８１に沿って開口部８５の右側から左側に向かって流れる風が、右側通風孔２２Ｂを通過した後、右側風誘導部材２３Ｂの板面に沿って開口部８５側に導かれ、開口部８５を経由して室内８４に取り込まれる。
つまり、左側風誘導部材２３Ａが開口部８５の左方から外壁８１に沿って流れてくる風を開口部８５に導くことが可能な状態に設定されるとともに、右側風誘導部材２３Ｂが開口部８５の右方から外壁８１に沿って流れてくる風を開口部８５に導くことが可能な状態に設定されるので、左側風誘導部材２３Ａ及び右側風誘導部材２３Ｂが当該状態に維持されることによって、当該状態で開口部８５の左方から外壁８１に沿って流れてくる風及び開口部８５の右方から外壁８１に沿って流れてくる風の両方を室内８３に取り込めるようになる。
即ち、左側風誘導部材２３Ａ及び右側風誘導部材２３Ｂをともに風取り込み可能状態に設定できるので、当該状態で外壁に沿って流れる風を開口部の左右の方向から室内８３に取り込めるようになる。
また、開口部８５の左方から外壁８１に沿って流れてくる風、開口部８５の右方から外壁８１に沿って流れてくる風を、個別に室内８３に取り込むことも可能である。
また、左右の通風孔２２Ａ；２２Ｂを塞ぐように左右の風誘導部材２３Ａ；２３Ｂを設定することにより、外壁８１に沿って流れてくる風を開口部８５に導かないようにすることも可能である。
さらに、左右の通風孔２２Ａ；２２Ｂを塞ぐように左右の風誘導部材２３Ａ；２３Ｂを設定した状態での左側風取込装置２Ａ及び右側風取込装置２Ｂが、開口部８５の前方に位置されないように構成することで、左右の通風孔２２Ａ；２２Ｂを塞ぐように左右の風誘導部材２３Ａ；２３Ｂが設定された場合には、開口部８５の前方において、開口部８５の前方の室外８４から後方の室内８３に向けて吹く風を遮るものが無くなるため、開口部８５の前方の室外８４から後方の室内８３に向けて吹く風が開口部８５を介して室内８４にスムーズに取り込まれるようになる。
また、このように左右の通風孔２２Ａ；２２Ｂを塞ぐように左右の風誘導部材２３Ａ；２３Ｂを設定した場合には、開口部８５の前方に、室内８３側から見た開口部８５の前方の室外８４の眺望を阻害するものが無くなるため、開口部８５の前方の眺望を損なうことも無くなる。
【００１７】
実施形態２
ヒンジ２４Ａ；２４Ｂとして、例えば、３バーヒンジ（図３参照）、６バーヒンジ等のバーヒンジと呼ばれるヒンジを用いてもよい。
以下、遮風板に３バーヒンジを用いて風誘導部材を取付ける場合について説明する。
３バーヒンジは、遮風板の下横枠、及び、上横枠の両方に固定される。
以下、図３に基づいて、左側遮風板２１Ａの下横枠２１ｃに固定された３バーヒンジ２４Ｈと左側風誘導部材２３Ａとの関係を説明する。
下側の３バーヒンジ２４Ｈは、左側遮風板２１Ａの下横枠２１ｃに固定される固定リンク２４ａと、一端が固定リンク２４ａの一端側に回転自在に取付けられた第１可動リンク２４ｂと、固定リンク２４ａ上を移動可能に設けられたスライダー２４ｃと、一端がスライダー２４ｃに回転自在に取付けられた第２可動リンク２４ｄと、一端が第２可動リンク２４ｄの他端に回転自在に取付けられかつ他端側寄り中央部が第１可動リンク２４ｂの他端に回転自在に取付けられた連結リンク２４ｅと、風誘導部材が通風孔を開放するように作動する場合にスライダー２４ｃの移動を阻止するストッパー２４ｉと、風誘導部材が通風孔を閉じるように作動する場合に第２可動リンク２４ｄの回転を阻止するストッパー凹部２４ｊとを備えた構成である。
取付ねじ２４ｆが連結リンク２４ｅの取付孔２４ｇを介して左側風誘導部材２３Ａの下端面２３ｈに締結され、左側風誘導部材２３Ａの下端面２３ｈと連結リンク２４ｅとが連結され、同様に、上側の３バーヒンジが左側遮風板２１Ａの上横枠の固定され、左側風誘導部材２３Ａの上端面と連結リンクとが連結されることによって、左側風誘導部材２３Ａが左側通風孔２２Ａを開閉可能なように上下の３バーヒンジで左側遮風板２１Ａに取付けられている。
同様に右側風誘導部材２３Ｂも３バーヒンジを用いて右側遮風板２１Ｂに取付ける。
風誘導部材が通風孔を閉じるように作動する場合には、第１可動リンク２４ｂ、第２可動リンク２４ｄ、連結リンク２４ｅが、固定リンク２４ａと平行な状態に近づくように動作し、第２可動リンク２４ｄの一端部が回転してストッパー凹部２４ｊに嵌る。
風誘導部材が通風孔を開くように作動する場合には、連結リンク２４ｅと連結リンク２４ｅとが直線状態に近づくように作動した後、スライダー２４ｃが固定リンク２４ａの一端側に移動し、第１可動リンク２４ｂ及び連結リンク２４ｅが開口部８５に近づく方向に移動する。
３バーヒンジのようなバーヒンジを用いた場合、実施形態１と同じ効果が得られる他、風誘導部材の外壁８１に近い側の辺部２３ｔが開口部８５の中心８５ａに近づくように風誘導部材を回転させる場合において、風誘導部材全体を開口部８５に近づく方向に移動させることができ、風誘導部材の外壁８１に近い側の辺部２３ｔと開口部８５との間の離間距離を短くできる。従って、外壁８１に沿って流れる風が、通風孔を通過した後、風誘導部材の板面に沿って開口部８５に導かれやすくなって室内８３に取り込まれやすくなる。
【００１８】
実施形態３
風誘導部材として、伸縮可能に構成された伸縮風誘導部材を用いてもよい。
以下、図４を参照し、右側遮風板２１Ｂに取付けられる伸縮風誘導部材２３Ｘを例にして説明する。
伸縮風誘導部材２３Ｘは、第１風誘導部材２３ａと第２風誘導部材２３ｂとを備える。
第１風誘導部材２３ａは、左側通風孔２２Ａを塞ぐことが可能な大きさに形成され、ヒンジ２４Ｂにより左側通風孔２２Ａを開閉させるように可動可能に設けられ、かつ、第２風誘導部材２３ｂを保持するための上保持部２３ｃ及び下保持部２３ｄを備えた可動板により構成される。上保持部２３ｃは、例えば、可動板となる四角形の板の一辺側を折り返して形成された断面凹状の溝レール２３ｆにより構成される。下保持部２３ｄは、例えば、可動板となる四角形の板の一辺と平行に対向する他辺側を折り返して上保持部２３ｃの断面凹状の溝レールと向かい合うように形成された断面凹状の溝レール２３ｇにより構成される。
第２風誘導部材２３ｂは、上辺側が上保持部２３ｃの溝レール２３ｆ内を移動可能でかつ下辺側が下保持部２３ｄの溝レール２３ｇ内を移動可能なように保持された板材により構成される。尚、２３ｅは、上保持部２３ｃ及び下保持部２３ｄの溝レール２３ｆ；２３ｇに第２風誘導部材２３ｂを出し入れするための取っ手である。また、伸縮風誘導部材２３Ｘの第２風誘導部材２３ｂの上保持部２３ｃ及び下保持部２３ｄからの脱落を防止するための図外のストッパが設けられている。
第１風誘導部材２３ａと第２風誘導部材２３ｂとが重ね合わされた状態の伸縮風誘導部材２３Ｘの外壁８１に近い側の辺部を開口部８５の中心８５ａに近づくように移動させ、かつ、第２風誘導部材２３ｂの外壁８１に近い側から当該第２風誘導部材２３ｂを溝レール２３ｆ；２３ｇから引き出して、第２風誘導部材２３ｂの外壁８１に近い側の辺部２３ｕを開口部８５に近づける。
実施形態３の伸縮風誘導部材２３Ｘを用いた場合、実施形態１と同じ効果が得られる他、第１風誘導部材２３ａの外壁８１に近い側の辺部が開口部８５の中心８５ａに近づくようにかつ開口部８５から離れる方向に移動した場合でも、第２風誘導部材２３ｂを溝レール２３ｆ；２３ｇより引き出して伸縮風誘導部材２３Ｘを伸長させることで、第２風誘導部材２３ｂの外壁８１に近い側の辺部２３ｕが開口部８５に近づき、実施形態２で説明したバーヒンジを用いた場合と同様に、第２風誘導部材２３ｂの外壁８１に近い側の辺部２３ｕと開口部８５との間の離間距離を短くできる。従って、外壁８１に沿って流れる風が、通風孔を通過した後、風誘導部材の板面に沿って開口部８５に導かれやすくなって室内８３に取り込まれやすくなる。
【００１９】
尚、上述したヒンジにより回転可能に構成された風誘導部材の回転角度を所定の角度に、すなわち、予め定められた固定の角度や例えば風の強さに応じて使用者が希望する任意の角度に維持するためのストッパを備えることが好ましい。当該ストッパーとしては、例えば、調整器と呼ばれる突張棒のようなストッパーやヒンジに内臓されたストッパー等がある。
【００２０】
実施形態４
実施形態１乃至実施形態３で説明した風取込装置１とシャッター装置３とを備えた図５；図６に示すような風取込機能付シャッター装置を構成してもよい。
シャッター装置３は、左側遮風板２１Ａ；右側遮風板２１Ｂの上端間に跨るように設けられたシャッターケース３１と、左側遮風板２１Ａ；右側遮風板２１Ｂの下端間に跨るように設けられた下枠３２と、左側遮風板２１Ａの前縁に沿って上下方向に延長するように設けられた左ガイドレール３３と、右側遮風板２１Ｂの前縁に沿って上下方向に延長するように設けられた右ガイドレール３４と、シャッターケース３１と左右のガイドレール３３；３４と下枠３２とで囲まれた開口部を開閉する開閉体としてのシャッターカーテン３５と、シャッターカーテン３５が巻き取り及び繰り出し可能に取付けられたシャフト３６と、シャフト３６の回転中心線を回転中心として当該シャフト３６を回転させる図外の回転駆動機構を備える。
シャフト３６及び回転駆動機構並びに図外の制御装置等は、シャッターケース３１内に収納される。シャッターカーテン３５の下端部が左右のガイドレール３３；３４に案内されて開口部８５を開閉する。
【００２１】
風取込装置１の左側風取込装置２Ａ及び右側風取込装置２Ｂは、例えば、左側遮風板２１Ａ及び右側遮風板２１Ｂの後端縁が図外の連結手段により窓枠８７に連結され、左側遮風板２１Ａ及び右側遮風板２１Ｂの上端縁が図外の連結手段によりシャッターケース３１に連結され、左側遮風板２１Ａ及び右側遮風板２１Ｂの前端縁が図外の連結手段によりガイドレール３３；３４に連結され、左側遮風板２１Ａ及び右側遮風板２１Ｂの下端縁が図外の連結手段により下枠３２に連結されていることで、風取込装置１が風圧に耐える構造となっている。
即ち、建物８０の外壁８１とガイドレール３３；３４との間に、左側風取込装置２Ａ及び右側風取込装置２Ｂが設けられた構成となっている。
【００２２】
実施形態５
実施形態４では、風取込装置１が建物８０の外壁８１とガイドレール３３；３４との間に設けられた構成の風取込機能付シャッター装置について説明したが、図７；図８に示すように、ガイドレール３３；３４が外壁８１に取付けられ、風取込装置１の左側風取込装置２Ａ及び右側風取込装置２Ｂがガイドレール３３；３４の前側（室外８４側）に配置された構成の風取込機能付シャッター装置としてもよい。
風取込装置１の左側風取込装置２Ａ及び右側風取込装置２Ｂは、例えば、左側遮風板２１Ａ及び右側遮風板２１Ｂの後端縁が図外の連結手段によりガイドレール３３；３４に連結され、左側遮風板２１Ａ及び右側遮風板２１Ｂの上端縁が図外の連結手段によりシャッターケース３１に連結され、左側遮風板２１Ａ及び右側遮風板２１Ｂの下端縁が図外の連結手段により下枠３２に連結されていることで、風取込装置１が風圧に耐える構造となっている。
【００２３】
尚、図５乃至図８において、図１及び図２と同一部分は同一符号を付し、その説明を省略している。
実施形態４；実施形態５によれば、実施形態１乃至実施形態３の効果が得られる風取込機能付シャッター装置を提供できる。また、横方向からの光を遮断することもできる。
【００２４】
実施形態６
実施形態４又は実施形態５で説明した風取込機能付シャッター装置の左側風取込装置２Ａ及び右側風取込装置２Ｂの遮風板が、折畳み可能に構成され、伸長状態において、ガイドレール３３；３４に沿って上下方向に延長するように設定され、かつ、折畳まれた状態でシャッターケース３１の下面３１ａに固定可能に構成された風取込機能付シャッター装置であってもよい。
例えば、図９（ｃ）に示すように、折畳み可能な遮風板２５は、長方形枠状に形成された上遮風板２５Ａ及び下遮風板２５Ｂを備える。
上遮風板２５Ａ及び下遮風板２５Ｂは、例えば、同じ大きさに形成され、長辺同士が一直線上に位置されるように上遮風板２５Ａの短辺下端と下遮風板２５Ｂの短辺上端とがヒンジ２４Ｙを介して連結され、ヒンジ２４Ｙにより上遮風板２５Ａと下遮風板２５Ｂとが互いに近づく方向に回転して上遮風板２５Ａと下遮風板２５Ｂとが重なり合うように折畳み可能な構成となっている。
遮風板２５は、上遮風板２５Ａの上端がヒンジ２４Ｘによってシャッターケース３１の下面３１ａに取付けられて、上遮風板２５Ａ及び下遮風板２５Ｂの長辺同士が例えば垂直方向に一直線上に位置された伸長状態に設定された場合、遮風板２５の上下方向の高さ寸法はガイドレール３３；３４の上下の高さ寸法とほぼ同じ寸法となるように形成されている（図９（ａ）参照）。
尚、ガイドレール３３；３４の外面には、伸長状態の遮風板２５を受ける受け部３３Ｔ；３４Ｔが設けられ、当該受け部３３Ｔ；３４Ｔに設けられた磁石やその他の固定手段により、遮風板２５が伸長状態に維持される。
そして、遮風板２５の伸長状態から下遮風板２５Ｂの下端側を上方に移動させると、遮風板２５がヒンジ２４Ｙの部分で折れ曲がり、上遮風板２５Ａと下遮風板２５Ｂとが重なり合うように折畳まれた状態でシャッターケース３１の下面３１ａに沿った状態となる（図９（ｂ）参照）。この状態が、図外の磁石やその他の固定手段で維持させることにより、風取込装置不使用状態に維持される。
【００２５】
実施形態７
実施形態４又は実施形態５で説明した風取込機能付シャッター装置の左側風取込装置２Ａ及び右側風取込装置２Ｂの遮風板が、伸縮自在に構成され、伸長状態において、ガイドレール３３；３４に沿って上下方向に延長するように設定され、縮状態でシャッターケース３１の下面３１ａに固定可能に構成された風取込機能付シャッター装置であってもよい。
例えば、図１０（ｃ）に示すように、伸縮可能な遮風板２７は、方形枠状に形成された上遮風板２７Ａ及び下遮風板２７Ｂを備える。
上遮風板２７Ａは、下遮風板２７Ｂを保持するための前後一対の保持部２７ａ；２７ｂを備えた可動板により構成される。保持部２７ａは、例えば、可動板となる四角形の板の一辺側を折り返して形成された断面凹状の溝レール２７ｃより構成され、保持部２７ｂは、例えば、可動板となる四角形の板の一辺と平行に対向する他辺側を折り返して保持部２７ａの断面凹状の溝レール２７ｃと向かい合うように形成された断面凹状の溝レール２７ｄにより構成される。
下遮風板２７Ｂは、一方の長辺側が保持部２７ａの溝レール２７ｃ内を移動可能でかつ他方の長辺側が保持部２７ｂの溝レール２７ｄ内を移動可能なように保持された板材により構成される。尚、下遮風板２７Ｂの溝レール２７ｃ；２７ｄからの脱落を防止するための図外のストッパが設けられている。
遮風板２７は、上遮風板２７Ａの上端がヒンジ２４Ｚによってシャッターケース３１の下面３１ａに取付けられて、図１０（ｃ）のように伸長状態に設定された場合、遮風板２５の上下方向の高さ寸法はガイドレール３３；３４の上下の高さ寸法とほぼ同じ寸法となるように形成されている（図１０（ａ）参照）。
上遮風板２７Ａと下遮風板２７Ｂとが重ね合わされた縮状態の遮風板２７を、ヒンジ２４Ｚを介して回転させて、シャッターケース３１の下面３１ａに沿った状態とする（図１０（ｂ）参照）。この状態を、図外の磁石やその他の固定手段で維持させることにより、風取込装置不使用状態に維持される。
【００２６】
尚、実施形態６の上遮風板２５Ａ及び下遮風板２５Ｂで囲まれた通風孔を開閉可能な風誘導部材２６や実施形態７の上遮風板２７Ａ及び下遮風板２７Ｂで囲まれた通風孔を開閉可能な風誘導部材２８は、例えば実施形態１や実施形態２と同様なヒンジにより上遮風板及び下遮風板に取付けられ、上述したように、外壁８１に沿って吹く風を室内８３に取り込むことが可能な状態に設定される。
実施形態６；実施形態７によれば、実施形態４；５と同じ効果が得られる他、風取込装置不使用状態にすることで、横方向からの光を室内８３に導けるようになるという効果が得られる。
【００２７】
実施形態８
上記各実施形態では、開口部８５の左の開口縁部８６Ａより室外８４に突出するように設けられた左側風取込装置２Ａと、開口部８５の右の開口縁部８６Ｂより室外８４に突出するように設けられた右側風取込装置２Ｂとを備えた風取込装置１を説明したが、開口部８５の上の開口縁部より室外８４に突出するように設けられた図外の上側風取込装置と、開口部８５の下の開口縁部より室外８４に突出するように設けられた図外の下側風取込装置とを備えた風取込装置であってもよい。
上側風取込装置は、開口部８５の上側開口縁部より室外８４に突出するように設けられた上側遮風板と、上側遮風板を貫通するように設けられて風を通過させる上側通風孔と、上側通風孔を開閉可能でかつ上側通風孔を通過する風を開口部８５に誘導する上側風誘導部材とを備えた構成である。
下側風取込装置は、開口部８５の下側開口縁部より室外８４に突出するように設けられた下側遮風板と、下側遮風板を貫通するように設けられて風を通過させる下側通風孔と、下側通風孔を開閉可能でかつ下側通風孔を通過する風を開口部８５に誘導する下側風誘導部材とを備えた構成である。
上側風取込装置及び下側風取込装置の構成部品は、左側風取込装置及び右側風取込装置と同様の構成の構成部品を用いればよい。
実施形態８によれば、開口部８５の上方向から外壁８１に沿って吹く風、開口部８５の下方向から外壁８１に沿って吹く風に対して、実施形態１と同じ効果が得られるようになる。
【００２８】
実施形態９
実施形態１の風取込装置１と実施形態８の風取込装置とを組み合わせて、開口部８５の上下左右の開口縁部より室外８４に突出するように設けられた風取込装置としてもよい。
即ち、開口部８５の室外８４側の開口縁部を、左側風取込装置２Ａ、右側風取込装置２Ｂ、上側風取込装置、下側風取込装置で囲むように構成された風取込装置とする。
実施形態９によれば、開口部８５の左方向から外壁８１に沿って吹く風、開口部８５の右方向から外壁８１に沿って吹く風、開口部８５の上方向から外壁８１に沿って吹く風、開口部８５の下方向から外壁８１に沿って吹くに対して、実施形態１と同じ効果が得られるようになる。即ち、外壁８１に沿って吹く風を、開口部８５の左右上下方向から室内８３に取り込めるようになる。
【００２９】
尚、例えば図２；図６；図８では、風を室内に取り込む際に窓を開放している例を示したが、窓の全部又は一部が網戸やスリット等で構成された閉鎖状態であっても、風を室内に取り込むことか可能であれば、必ずしも窓の開放は必要ではない。
【００３０】
本発明の風取込装置が設けられるシャッター装置は、電動式シャッター装置、手動式シャッター装置のいずれでもよい。
【００３１】
本発明の適用対象となるシャッター装置の開閉体をシャッターカーテンとした場合、その構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組み合せたシャッターカーテンでもよい。所謂、オーバヘッドタイプのシャッターカーテンにも適用できる。
【符号の説明】
【００３２】
１  風取込装置、２１Ａ；２１Ｂ  遮風板、２２Ａ；２２Ｂ  通風孔、
２３Ａ；２３Ｂ  風誘導部材、８０  建物、８１  外壁、８３  室内、８４  室外、
８５  開口部、８６Ａ；８６Ｂ  開口縁部。
【図１】
2015145604.tif 000003
【図２】
2015145604.tif 000004
【図３】
2015145604.tif 000005
【図４】
2015145604.tif 000006
【図５】
2015145604.tif 000007
【図６】
2015145604.tif 000008
【図７】
2015145604.tif 000009
【図８】
2015145604.tif 000010
【図９】
2015145604.tif 000011
【図１０】
2015145604.tif 000012